(57)【特許請求の範囲】
【請求項１】
断面略く字状に屈曲した屋外側ガラリ羽根と断面略Ｌ字状に屈曲した屋内側ガラリ羽根を備え、屋外側ガラリ羽根は、左右方向に間隔をあけて複数配置してあり、屋内外方向略中央部のコーナー部に屈曲凸側に突出し屋外側に開口する第一雨水受け溝を設けてあり、
屋内側斜辺の屋内側端部に位置する第一側壁と、第一側壁から屈曲凹側に突出する底壁と、底壁の先端から屋外側に突出する第二側壁とから形成した屋外側に開口する第二雨水受け溝を設けてあり、屋内側ガラリ羽根は、屋外側ガラリ羽根の屋内側に間隔をあけて且つ左右方向に間隔をあけて複数配置してあり、一の屋外側ガラリ羽根の第一側壁と略同一平面上に位置する長片と、屋外側ガラリ羽根同士の間隙の寸法と略同一寸法の短片と、短片の先端から屋外側に向けて突出し且つ他の屋外側ガラリ羽根の第二側壁と略同一平面上に位置する突出片とからなることを特徴とする換気ガラリ。
【発明の詳細な説明】
【技術分野】
【０００１】
本発明は、特に竪型のガラリ羽根を備えた換気ガラリに関するものである。
【背景技術】
【０００２】
一般に竪型の換気ガラリは、縦框と横框を框組みした框体の内周側に、略垂直方向に伸びるガラリ羽根を左右方向に複数配置したものであり、ガラリ羽根同士の間隙に風を誘導して通気性能を確保しつつ、ガラリ羽根の断面形状が略く字状をなすことで、屋内に吹き込む風の勢いを弱めると共にプライバシーの保護を図っている。しかしながら、前述したような換気ガラリは、屋内の通気を確保できる反面、ガラリ羽根同士の間隙は常に開放したままであるから、雨風のときには、各ガラリ同士の間隙を通って屋内に雨水が吹き込む欠点があった。そこで、特開平１１−２４７５４６号公報に開示されるような、屋外側と屋内側の両方に換気ガラリを連接したものがあり、これは、ガラリ羽根同士の間隙を屋内外方向に延長して屋内と屋外との距離をあけて、屋内の防水を図るものであった。
【特許文献１】特開平１１−２４７５４６号公報
【発明の開示】
【発明が解決しようとする課題】
【０００３】
ところが、前述した特許文献１の換気ガラリのような断面略く字状に屈曲したガラリ羽根を屋外側と屋内側に連接した構造のものでは、ガラリ羽根が屋内外方向に延長することで防水性は高まるものの、その反面、ガラリ羽根の延長に伴って風が通過するときの抵抗が大きくなり、通気性が悪くなる問題があった。
本発明は、上記課題を鑑みてなされたものであり、通気性能を十分に確保できると共に、高い防水性能も有する換気ガラリを提供することにある。
【課題を解決するための手段】
【０００４】
本発明の請求項１記載の発明は、断面略く字状に屈曲した屋外側ガラリ羽根と断面略Ｌ字状に屈曲した屋内側ガラリ羽根を備え、屋外側ガラリ羽根は、左右方向に間隔をあけて複数配置してあり、屋内外方向略中央部のコーナー部に屈曲凸側に突出し屋外側に開口する第一雨水受け溝を設けてあり、屋内側斜辺の屋内側端部に位置する第一側壁と、第一側壁から屈曲凹側に突出する底壁と、底壁の先端から屋外側に突出する第二側壁とから形成した屋外側に開口する第二雨水受け溝を設けてあり、屋内側ガラリ羽根は、屋外側ガラリ羽根の屋内側に間隔をあけて且つ左右方向に間隔をあけて複数配置してあり、一の屋外側ガラリ羽根の第一側壁と略同一平面上に位置する長片と、屋外側ガラリ羽根同士の間隙の寸法と略同一寸法の短片と、短片の先端から屋外側に向けて突出し且つ他の屋外側ガラリ羽根の第二側壁と略同一平面上に位置する突出片とからなることを特徴とする。
【発明の効果】
【０００５】
請求項１記載の発明の効果によれば、雨風が吹き込んだときに、屋外側ガラリ羽根の第一雨水受け溝及び第二雨水受け溝で雨水を止水すると共に、屋外側ガラリ羽根間にある第一側壁と第二側壁との間隙を通り風が誘導されて屋内側ガラリ羽根に吹き込む。そして、屋内側ガラリ羽根が断面略Ｌ字状をなすと共に、屋外側ガラリ羽根と略同一平面上に位置することで、屋内側ガラリ羽根を構成する長片と短片と突出片で囲んだ略コ字状をなす内周側で雨水を止水すると共に、長片と屋外側ガラリ羽根との間隙及び短片と屋外側ガラリ羽根との間隙から屋内に風が吹き込む。これにより、防水性能と通気性能をバランス良く兼ね備えた換気ガラリを提供できる。
【発明を実施するための最良の形態】
【０００６】
以下に、図面に基づいて本換気ガラリの実施の形態を説明する。
図１は、本換気ガラリの第一実施形態を示すものであり、（ａ）は、本換気ガラリの横断面図であり、（ｂ）は、縦断面図であり、（ｃ）は、本換気ガラリの全体を示す正面図である。図２は、本実施による換気ガラリと、屋内側ガラリ羽根の形状の異なる比較例１及び比較例２と、屋外側ガラリ羽根の無い比較例３について、試験体を用いて入水量及び通気量を測定したものであり、（ａ）は、一部を平面視して示す各試験体の縦断面図であり、（ｂ）は、所定条件下での各試験体の入水量を示すグラフであり、（ｃ）は、一部を平面視して示す各試験体の縦断面図であり、（ｄ）は、所定条件下での各試験体の通気量を示すグラフである。図３は、本換気ガラリの第二実施形態を示すものであり、（ａ）は、換気ガラリの横断面図であり、（ｂ）は、要部を拡大したものであり、（ｃ）は、換気ガラリの全体を示す正面図である。図４は、本換気ガラリの第二実施形態の縦断面図である。
【０００７】
第一実施形態の換気ガラリは、図１（ａ）のように、屋外側ガラリ羽根１と屋内側ガラリ羽根２とから構成してあり、屋外側ガラリ羽根１は、断面略く字状に屈曲し、且つ上下框１０、１１と左右框１２を框組した框体の内周側に左右方向に複数配置したものである。また、屋外側ガラリ羽根１は、屋内外方向略中央部から屈曲凹側に突出し屋外側に開口する第一雨水受け溝４ａを有しており、屋内側斜辺１ａの屋内側端部から屈曲凸側に突出し屋外側に開口した第二雨水受け溝４ｂを有しており、第二雨水受け溝４ｂは具体的に、屋外側ガラリ羽根１の屋内側斜辺１ａの屋内側端部に位置する第一側壁５と、第一側壁５から屈曲凹側に突出する底壁７と、底壁７の先端から屋外側に突出した第二側壁６とからなっている。
尚、本実施形態の第一側壁５は、屋内側斜辺１ａの屋内側端部を兼ねるものである。
【０００８】
屋内側ガラリ羽根２は、屋内外方向に配置する長片２ａと、長片２ａの屋内側端部から左右方向に突出する短片２ｂと、短片２ｂの先端から屋外側に突出した突出片２ｃとからなる断面略Ｌ字状をなし、上框１０と下框１１と左右框１２左右方向に複数配置してある。また、屋内側ガラリ羽根２は、図１（ｂ）のように、屋外側ガラリ羽根１を取り付けてある上框１０と下框１１から屋内側に突出した上下２つのアングル１３にネジ１７止めしてある。また、前述した上下二つのアングル１３により屋外側ガラリ羽根１と屋内側ガラリ羽根２は、屋内外方向に間隔をあけて取り付けてあると共に、一の屋外側ガラリ羽根１の第一側壁５と屋内側ガラリ羽根２の長片２ａが略同一平面上に位置し、他の屋外側ガラリ羽根１の第二側壁６と屋内側ガラリ羽根２の突出片２ｃが略同一平面上に位置することで、屋内側ガラリ羽根２の短片２ｂは、屋外側ガラリ羽根１の第一側壁５と第二側壁６との間隙Ｒと屋内外方向に間隔をあけて位置している。
【０００９】
第一実施形態の換気ガラリの作用について説明する。
まず、屋外側ガラリ羽根１同士の第一側壁５と第二側壁６との間隙Ｒに屋外側から雨風が吹き込んだときに、図１（ａ）（ｂ）（ｃ）に示すように、屋外側ガラリ羽根１の第一雨水受け溝４ａと第二雨水受け溝４ｂで雨水２１ａ、２１ｂを止水すると共に、風は、屋外側ガラリ羽根１の斜辺に沿って屋内側ガラリ羽根２に向けて誘導され、さらに、屋外側ガラリ羽根１間にある第一側壁５と第二側壁６との間隙Ｒを通って屋内側ガラリ羽根２側に吹き込む。そして、第一側壁５と第二側壁６との間隙Ｒを通って屋内側に吹き込んだ風は、一旦、屋内側ガラリ羽根２の長片２ａと短片２ｂに当たると共に、長片２ａと短片２ｂと突出片２ｃで囲まれた断面略コ字状をなす内周側で雨水２１ｃを止水する。さらに、屋内側ガラリ羽根２に吹き込んだ風は、長片２ａと短片２ｂに衝突して風速を落とし、屋外側ガラリ羽根１の第二側壁６と突出片２ｃとの間隙と、第一側壁５の長片２ａとの間隙から屋内側に吹き込む。
【００１０】
次に、本実施例の換気ガラリと、屋内側ガラリ羽根２の有無及び形状の異なる換気ガラリとの所定条件下における入水量及び通気量について比較した。
まず、入水量を測定するための試験体は、上下及び四方を壁部で囲んで略直方体形状をなす中空の箱体と、その箱体の一側壁に取り付ける換気ガラリと、換気ガラリの上端に取り付けて箱体内の空間を上下に隔てる額縁１４とから構成するものであり、具体的に、換気ガラリの形態を図２（ａ）のように、本実施例として、前述した屋外側ガラリ羽根１と断面略Ｌ字状をなす屋内側ガラリ羽根２を備えるもの、比較例１として、屋外側ガラリ羽根１に断面略山字状をなす屋内側ガラリ羽根２を備えるもの、比較例２として、屋外側ガラリ羽根１に断面略Ｚ状をなす屋内側ガラリ羽根２を備えるもの、比較例３として、屋外側ガラリ羽根１のみを備えるものを用意した。
そして、入水量を比較する試験として、本実施例及び比較例１、比較例２、比較例３のすべての試験体に対して、屋外側ガラリ羽根１の弱軸方向から風速４０ｍ／ｓで６０秒間散水し、試験体内部の入水量を測定した。その結果、入水量は、図２（ｄ）のように、比較例３のものが４３２ｍｌと最も多くなり、比較例１のものが２６ｍｌと最も少ない結果が得られた。また、本実施例のものは、入水量が５４ｍｌと全体で二番目に少ない結果が得られた。
【００１１】
次に、図２（ｄ）に示すものは、本実施形態例と比較例１、比較例２、比較例３について、通気性能を比較したデータである。
試験体については、図２（ｃ）のように、前述した入水量を比較したものから額縁１４を取り外したものを用いており、本実施例及び比較例１、比較例２、比較例３の全ての試験体に対し、吸引式送風機により屋外側ガラリ羽根１の弱軸方向から風速４０ｍ／ｓで６０秒間吹き付けて、試験体内部の通気量を測定した。
その結果、通気量（下記の式１で得られた通気量Ｑを、同じく下記の式２により流量係数αに換算したもの）は、比較例３のものが流量係数（α）０．１９と最も高くなり、比較例１のものが流量係数（α）０．１１５と最も低い結果が得られた。また、本実施例のものは、流量係数（α）０．１６４と各試験体の中で２番目に高い通気性能を有する結果が得られた。以上、各試験体の入水量及び通気量の両データを検証すれば、比較例３のものは、通気量と入水量が共に最も多く、比較例１のものは、入水量が最も少なく高い防水性能を有する結果が得られたが、通気量が全試験体の中で最も少なく、比較例２のものは、全試験体の中で入水量が二番目に多く、また、通気量が二番目に少ない結果となった。これに対して本実施例のものは、全試験体の中で入水量が二番目に少なく、また、通気量が二番目に多い結果となり、このことから、全試験体の中で防水性能と通気性能を最もバランスよく兼ね備えていることが実証された。
【００１２】
【数１】
0004943302.tif 000002
【００１３】
【数２】
0004943302.tif 000003
【００１４】
図３（ａ）（ｂ）（ｃ）と図４に示すものは、本実施による換気ガラリの第二実施形態であり、前述した第一実施形態と相違する構成を説明すれば、図３（ｂ）に示すように、屋外側ガラリ羽根１の屋内側斜辺１ａの屋内側端部が屈曲凸側に突出して段状に形成してあると共に、屋内側斜辺１ａの屋内側端部に位置する第一側壁５の先端部５ａが屋外側に向けて斜めに突出している。このように形成すると、第一側壁５の先端部５ａと屋外側ガラリ羽根１の屈曲凸側間に断面略凹状をなす溝状部位が形成されるが、この溝状部位においても雨水２１ｄを止水できるので、本換気ガラリの防水効果の向上に寄与している。さらに、第一側壁５と第二側壁６は、屋外側ガラリ羽根１の斜辺に沿って湾曲していることから、屋外側ガラリ羽根１間を通る風に対し、第一側壁５と第二側壁６による抵抗が小さくなるので、十分な通気量を確保したまま屋内側ガラリ羽根２に風を誘導できる。尚、符号１４は、屋内側の空間を上下に仕切る額縁である。
【００１５】
本発明は、第一及び第二実施形態のものに限らず、屋内側ガラリ羽根２の長片２ａが、一の屋外側ガラリ羽根１の第一側壁５と略同一平面上にあり、突出片２ｃが他の屋外側ガラリ羽根１の第二側壁６と略同一平面上にあれば、前述のように、風の吹き込みを弱められるので、屋外側ガラリ羽根１の屈曲凸側と屈曲凹側を左右どちら向きに設置してよい。
【図面の簡単な説明】
【００１６】
【図１（ａ）（ｂ）（ｃ）】本換気ガラリの第一実施形態を示すものであり、（ａ）は、横断面図であり、（ｂ）は、一部を平面視して示す縦断面図であり、（ｃ）は、本換気ガラリの全体を示す正面図である。
【図２（ａ）（ｂ）（ｃ）（ｄ）】本実施による換気ガラリと、屋内側ガラリ羽根の形状の異なる比較例１及び比較例２と、屋外側ガラリ羽根の無い比較例３について、試験体を用いて入水量と通気量を測定したものであり、（ａ）は、一部を平面視して示す各試験体の縦断面図であり、（ｂ）は、所定条件下での各試験体の入水量を示すグラフであり、（ｃ）は、一部を平面視して示す各試験体の縦断面図であり、（ｄ）は、所定条件下での各試験体の通気量を示すグラフである。
【図３（ａ）（ｂ）（ｃ）】本換気ガラリの第二実施形態を示すものであり、（ａ）は、横断面図であり、（ｂ）は、要部を拡大した横断面図であり、（ｃ）は、本換気ガラリの全体を示す正面図である。
【図４】第二実施形態の換気ガラリの一部を平面視して示す縦断面図である。
【符号の説明】
【００１７】
１  屋外側ガラリ羽根
１ａ  屋内側斜辺
２  屋内側ガラリ羽根
２ａ  長片
２ｂ  短片
２ｃ  突出片
４ａ  第一雨水受け溝
４ｂ  第二雨水受け溝
５  第一側壁
６  第二側壁
７  底壁
Ｒ  間隙
【図１（ａ）（ｂ）（ｃ）】
0004943302.tif 000004
【図２（ａ）（ｂ）（ｃ）（ｄ）】
0004943302.tif 000005
【図３（ａ）（ｂ）（ｃ）】
0004943302.tif 000006
【図４】
0004943302.tif 000007